【手続補正書】
【提出日】平成17年12月7日(2005.12.7)
【手続補正２】
【補正対象書類名】明細書
【補正対象項目名】特許請求の範囲
【補正方法】変更
【補正の内容】
【特許請求の範囲】
【請求項１】  基材の少なくとも一部に、体積ホログラム層が固着されているホログラム複合体であって、前記ホログラム複合体の表面、裏面、及び／又は、前記ホログラム複合体を構成する層のいずれかの層間に、装飾が施されているホログラム複合体。
【請求項２】  基材が透明または着色透明である請求項１記載のホログラム複合体。
【請求項３】  基材が着色されているか模様が付与されることにより装飾が施されている請求項１または２記載のホログラム複合体。
【請求項４】  基材の一部がくり抜かれたくり抜き部を有しており、前記くり抜き部に体積ホログラム層がはめ込まれている請求項１〜３いずれかに記載のホログラム複合体。
【請求項５】  上記体積ホログラム層が固着されている請求項４記載のホログラム複合体。
【請求項６】  上面または／および下面の全面に透明または着色透明保護層が積層されている請求項１〜５いずれか記載のホログラム複合体。
【請求項７】  上記体積ホログラム層がはめ込まれた上部または／および下部の少なくとも１部に、装飾が施されているか、または／および情報が記録されている請求項１〜６いずれか記載のホログラム複合体。
【請求項８】  上記体積ホログラム層がはめ込まれた上部若しくは／および下部の少なくとも１部、又は／並びに、上記体積ホログラム層がはめ込まれていない上部若しくは／および下部の少なくとも１部にわたって、装飾が施されているか、または／および情報が記録されている請求項１〜７いずれか記載のホログラム複合体。
【請求項９】  装飾が施された基材上の少なくとも一部に、体積ホログラム層が積層されているホログラム積層体。
【請求項１０】  基材が透明または着色透明である請求項９記載のホログラム積層体。
【請求項１１】  基材が着色されているか模様が付与されていることにより装飾が施されている請求項９または１０記載のホログラム積層体。
【請求項１２】  体積ホログラム層が透明粘着剤層により積層されている請求項９〜１１記載のホログラム積層体。
【請求項１３】  体積ホログラム層の表面に透明保護層が積層されている請求項９〜１２いずれか記載のホログラム積層体。
【請求項１４】  透明保護層が体積ホログラム層上に透明粘着剤層を介して積層されている請求項１３記載のホログラム積層体。
【請求項１５】  装飾が施された基材上の少なくとも一部に、第１の透明粘着剤層、体積ホログラム層、第２の透明粘着剤層、および透明保護層が、この順に積層されているホログラム積層体。
【請求項１６】  体積ホログラム層が積層された上部または／および下部の少なくとも１部に、情報が記録されている請求項９〜１５いずれか記載のホログラム積層体。
【請求項１７】  上記体積ホログラム層が積層された上部若しくは／および下部の少なくとも１部、又は／並びに、上記体積ホログラム層が積層されていない上部若しくは／および下部の少なくとも１部にわたって、装飾が施されているか、または／および情報が記録されている請求項９〜１６いずれか記載のホログラム積層体。
【手続補正３】
【補正対象書類名】明細書
【補正対象項目名】０００７
【補正方法】変更
【補正の内容】
【０００７】
請求項１の発明は、装飾が施された基材の少なくとも一部に、体積ホログラム層が固着されているホログラム複合体であって、前記ホログラム複合体の表面、裏面、及び／又は、前記ホログラム複合体を構成する層のいずれかの層間に、装飾が施されているホログラム複合体に関するものである。
【手続補正４】
【補正対象書類名】明細書
【補正対象項目名】０００８
【補正方法】変更
【補正の内容】
【０００８】
請求項２の発明は、請求項１において、基材が透明または着色透明であるホログラム複合体に関するものである。
請求項３の発明は、請求項１または２において、基材が着色されているか模様が付与されることにより装飾が施されているホログラム複合体に関するものである。
【手続補正５】
【補正対象書類名】明細書
【補正対象項目名】０００９
【補正方法】変更
【補正の内容】
【０００９】
請求項４の発明は、請求項１〜３のいずれかにおいて、基材の一部がくり抜かれたくり抜き部を有しており、前記くり抜き部に体積ホログラム層がはめ込まれているホログラム複合体に関するものである。
請求項５の発明は、請求項４において、体積ホログラム層が固着されているホログラム複合体に関するものである。
【手続補正６】
【補正対象書類名】明細書
【補正対象項目名】００１０
【補正方法】変更
【補正の内容】
【００１０】
請求項６の発明は、請求項１〜５いずれかにおいて、上面または／および下面の全面に透明または着色透明保護層が積層されているホログラム複合体に関するものである。
【手続補正７】
【補正対象書類名】明細書
【補正対象項目名】００１１
【補正方法】変更
【補正の内容】
【００１１】
請求項７の発明は、請求項１〜６いずれかにおいて、体積ホログラム層がはめ込まれた上部または／および下部の少なくとも１部に、装飾が施されているか、または／および情報が記録されているホログラム複合体に関するものである。
【手続補正８】
【補正対象書類名】明細書
【補正対象項目名】００１２
【補正方法】変更
【補正の内容】
【００１２】
請求項８の発明は、請求項１〜７いずれかにおいて、体積ホログラム層がはめ込まれた上部若しくは／および下部の少なくとも１部、又は／並びに、上記体積ホログラム層がはめ込まれていない上部若しくは／および下部の少なくとも１部にわたって、装飾が施されているか、または／および情報が記録されているホログラム複合体に関するものである。
【手続補正９】
【補正対象書類名】明細書
【補正対象項目名】００１３
【補正方法】変更
【補正の内容】
【００１３】
請求項９の発明は、装飾が施された基材上の少なくとも一部に、体積ホログラム層が積層されているホログラム積層体に関するものである。
請求項１０の発明は、請求項９において、基材が透明または着色透明であるホログラム積層体に関するものである。
【手続補正１０】
【補正対象書類名】明細書
【補正対象項目名】００１４
【補正方法】変更
【補正の内容】
【００１４】
【００１４】
請求項１１の発明は、請求項９または１０のいずれかにおいて、基材が着色されているか模様が付与されていることにより装飾が施されているホログラム積層体に関するものである。
【手続補正１１】
【補正対象書類名】明細書
【補正対象項目名】００１５
【補正方法】変更
【補正の内容】
【００１５】
請求項１２の発明は、請求項９〜１１において、体積ホログラム層が透明粘着剤層により積層されているホログラム積層体に関するものである。
【手続補正１２】
【補正対象書類名】明細書
【補正対象項目名】００１６
【補正方法】変更
【補正の内容】
【００１６】
【００１６】
請求項１３の発明は、請求項９〜１２いずれかにおいて、体積ホログラム層の表面に透明保護層が積層されているホログラム積層体に関するものである。
【手続補正１３】
【補正対象書類名】明細書
【補正対象項目名】００１７
【補正方法】変更
【補正の内容】
【００１７】
請求項１４の発明は、請求項１３記載において、透明保護層が体積ホログラム層上に透明粘着剤層を介して積層されているホログラム積層体に関するものである。
【手続補正１４】
【補正対象書類名】明細書
【補正対象項目名】００１８
【補正方法】変更
【補正の内容】
【００１８】
請求項１５の発明は、装飾が施された基材上の少なくとも一部に、第１の透明粘着剤層、体積ホログラム層、第２の透明粘着剤層、および透明保護層が、この順に積層されているホログラム積層体に関するものである。
【手続補正１５】
【補正対象書類名】明細書
【補正対象項目名】００１９
【補正方法】変更
【補正の内容】
【００１９】
請求項１６の発明は、請求項９〜１５いずれかにおいて、体積ホログラム層が積層された上部または／および下部の少なくとも１部に、情報が記録されているホログラム積層体に関するものである。
請求項１７の発明は、請求項９〜１６いずれかにおいて、体積ホログラム層が積層された上部若しくは／および下部の少なくとも１部、又は／並びに、上記体積ホログラム層が積層されていない上部若しくは／および下部の少なくとも１部にわたって、装飾が施されているか、または／および情報が記録されているホログラム積層体に関するものである。
【手続補正１６】
【補正対象書類名】明細書
【補正対象項目名】００２２
【補正方法】変更
【補正の内容】
【００２２】
図２は、装飾２を上面に有する比較的厚みの厚い基材１がくり抜き部を有し、そのくり抜き部に体積ホログラム層３がはめこまれ、かつ、下面に比較的薄い、別の基材１’が全面に積層されているホログラム複合体の断面を示す。このようにすると、体積ホログラム層３の基材との固着がより一層強固になる。図２に示すものは、図１に示すものと同様に、くり抜き形状に沿って接着剤を適用するか誘導加熱することにより、基材１と体積ホログラム層３との一体化が可能だが、基材１’の上面と体積ホログラム層３の間、基材１’の上面と装飾２の間は、熱融着させるか、またはこれらの間に透明粘着剤等の接着剤を介在させて積層するとよい。図２のものも基材１の一部に装飾２を有している。なお、図２のものは、上面から見ることを想定しているが、もし、下面からも見るのであれば、基材１’を透明なものとする。また、図２における基材１’は基材１と装飾２を含む全面の上面に配置してもよく、その場合には、必ず透明なものとする。なお、本明細書中で透明とは、向こう側が透視出来ればよく、従って、無色透明に限らず、着色された着色透明も含む。基材１’は基材１と一体になって複合基材を構成すると見ることも可能であるが、また、基材１、装飾２、または体積ホログラム層３を保護する保護層でもある。
【手続補正１７】
【補正対象書類名】明細書
【補正対象項目名】００２５
【補正方法】変更
【補正の内容】
【００２５】
図５に示すものは、上記した各要素を総合的に適用したもので、基材は、３層の積層体で、中心の層が厚く、上下の層は比較的薄い。中心の層１がくり抜かれたくり抜き部に体積ホログラム層３がはめ込まれ、体積ホログラム層３を含めて基材１の全体に基材１’および基材１’’が上下から積層されている。この例では、少なくとも観察面側の基材１’は透明なもので構成すればよく、基材１、基材１’及び基材１’’のすべてを透明なもので構成すれば、所謂スケルトン状の積層体となる。体積ホログラム層３の上方の向かって左側には装飾２が施されており、同じく向かって右側には情報４が記録されている。装飾２および情報４は、真下に体積ホログラム層３がある部分と、真下に体積ホログラム層３がない部分の両方に設けられている。装飾２または／および情報４は、基材１’の上面にではなく、基材１および体積ホログラム層３の複合した部分と基材１’との間に直接設けられていてもよい。情報４が後で記録されるものである場合には、図５における装飾２を基材１および体積ホログラム層３が作る面と薄い基材１’の間に施した構造のホログラム複合体を準備しておき、情報４を記録すればよい。以上の説明において、装飾２、および情報４が基材１の片面にある場合のみを示したが、装飾２、および情報４は基材１の両面にあってもよく、その際、必要があれば、基材１’’を透明なもので構成する。図２〜図５を引用して説明した構造のもので、基材１’と基材１（または体積ホログラム層３）の接着、基材１’’と基材１（または体積ホログラム層３）の接着、透明保護層５による最上面の被覆、直接の手書き、印刷、またはプリンタ出力等ではなく、別のシートに手書き、印刷、またはプリンタ出力して積層する場合等においては、透明粘着剤を使用して行なうと、加熱の手段を用いる事なく積層が可能である。
【手続補正１８】
【補正対象書類名】明細書
【補正対象項目名】００２７
【補正方法】変更
【補正の内容】
【００２７】
図６に示すように、本発明のホログラム積層体は、基材１上に装飾２が施されており、体積ホログラム層３がさらにその上に積層されたものである。ここで、体積ホログラム層３の積層は、図７に示すように、透明粘着剤層６を介して行なわれていてもよい。また、図８に示すように、体積ホログラム層３上に透明保護層５が積層してあってもよい。図９は、本発明のホログラム積層体に付加できる要素を総合的に有するものであって、基材１上に装飾２、透明粘着剤層６ｂ、体積ホログラム層３、透明粘着剤層６ａ、および透明保護層５が、この順に積層されたものである。さらに本発明のホログラム積層体には、図１０に示すように、図９に示すものの最上面に、情報４を記録してあってもよい。図示はしないが、情報４を記録するのは、図６〜図８に示すようなものの体積ホログラム層３上に直接か、または最上面であってもよい。なお、図６〜図１０に示すものは、装飾２を上面に有する基材１上に体積ホログラム層３等が積層して、凸状部を形成しているが、図はいずれも、厚み方向が誇張されているので、これほどの極端な凸状部にはならないが、表面を平坦にするには、加熱加圧して表面を平坦にするか、あるいは予め基材に必要な深さの凹部を形成しておいて、その凹部に体積ホログラム層３等を埋め込み、表面を平坦にする事もできる。図６〜図１０に示すものにおいても、装飾２、および情報４は基材１の片面にある場合に限らず、基材１の両面にあってもよい。
【手続補正１９】
【補正対象書類名】明細書
【補正対象項目名】００７３
【補正方法】変更
【補正の内容】
【００７３】
【発明の効果】
基材の一部にホログラムが固着されているので、単なる複写や写真製版を利用した複製方法では複製ができず、偽造防止効果が高い。
【手続補正２０】
【補正対象書類名】明細書
【補正対象項目名】００７４
【補正方法】変更
【補正の内容】
【００７４】
請求項２の発明によれば、請求項１の発明の効果に加え、ホログラム複合体の少なくとも１部が透けて見えるので、特異な意匠効果も得られる。
請求項３の発明によれば、請求項１または２の発明の効果に加え、装飾が着色か模様によるため、その点の複製も必要になる。
【手続補正２１】
【補正対象書類名】明細書
【補正対象項目名】００７５
【補正方法】変更
【補正の内容】
【００７５】
請求項４の発明によれば、請求項１〜３の発明の効果に加え、ホログラムが基材の一部にはめ込まれているので、複製が一層困難である。
請求項５の発明によれば、請求項４の発明の効果に加え、保護層が固着されているので、表面の保護効果が大きい。
【手続補正２２】
【補正対象書類名】明細書
【補正対象項目名】００７６
【補正方法】変更
【補正の内容】
【００７６】
請求項６の発明によれば、請求項１〜５いずれかの発明の効果に加え、保護層が積層されているので、表面の保護効果が大きい。
【手続補正２３】
【補正対象書類名】明細書
【補正対象項目名】００７７
【補正方法】変更
【補正の内容】
【００７７】
請求項７の発明によれば、請求項１〜６いずれかの発明の発明の効果に加え、情報４がホログラム上に重なって記録されるので、ホログラムの存在に加えて、偽造防止効果が高まる。
【手続補正２４】
【補正対象書類名】明細書
【補正対象項目名】００７８
【補正方法】変更
【補正の内容】
【００７８】
請求項８の発明によれば、請求項１〜７いずれかの発明の発明の効果に加え、ホログラム以外の部分に情報または装飾を有しているので、ホログラムの存在に加えて、偽造防止が高まる。
【手続補正２５】
【補正対象書類名】明細書
【補正対象項目名】００７９
【補正方法】変更
【補正の内容】
【００７９】
請求項９の発明によれば、装飾とホログラムの組み合わせにより、偽造防止効果が高い。
請求項１０の発明によれば、請求項９の発明の効果に加え、ホログラム複合体の少なくとも１部が透けて見えるので、特異な意匠効果も得られる。
【手続補正２６】
【補正対象書類名】明細書
【補正対象項目名】００８０
【補正方法】変更
【補正の内容】
【００８０】
請求項１１の発明によれば、請求項９又は１０のいずれかの発明の効果に加え、偽造するには、着色した部分か、または模様が付与された部分の複製も必要になるので、偽造防止効果が高い。
【手続補正２７】
【補正対象書類名】明細書
【補正対象項目名】００８１
【補正方法】変更
【補正の内容】
【００８１】
請求項１２の発明によれば、請求項９〜１１いずれかの発明の効果に加え、体積ホログラム層が透明粘着剤層を介して積層されているので、加熱を伴なわずに確実な積層が可能である。
【手続補正２８】
【補正対象書類名】明細書
【補正対象項目名】００８２
【補正方法】変更
【補正の内容】
【００８２】
請求項１３の発明によれば、請求項９〜１２いずれかの発明の効果に加え、透明保護層を有しているので、表面の汚損や摩耗に対する耐久性を有する。
【手続補正２９】
【補正対象書類名】明細書
【補正対象項目名】００８３
【補正方法】変更
【補正の内容】
【００８３】
請求項１４の発明によれば、請求項１３の発明の効果に加え、透明保護層が透明粘着剤層を介して、加熱を伴なわずに確実な積層が可能である。
【手続補正３０】
【補正対象書類名】明細書
【補正対象項目名】００８４
【補正方法】変更
【補正の内容】
【００８４】
請求項１５の発明によれば、各層の積層がいずれも透明粘着剤層を介して行なわれているので、装飾とホログラムの組み合わせによる偽造防止効果が高いホログラム積層体が、加熱を伴なわずに確実な積層が可能である。
【手続補正３１】
【補正対象書類名】明細書
【補正対象項目名】００８５
【補正方法】変更
【補正の内容】
【００８５】
請求項１６の発明によれば、請求項９〜１５いずれかの発明の効果に加え、さらに情報を有することにより、偽造防止性が高まる。
請求項１７の発明によれば、請求項９〜１６いずれかの発明の効果に加え、さらに装飾または／および情報が体積ホログラム層のある部分と内袋部分にまたがって有することにより、偽造防止性が高まる。